(57)【特許請求の範囲】
【請求項１】
第１及び第２のケースを継合して１つのケースとするロールスクリーン用ケースにおいて、
該第１及び第２のケースは長手方向に延び断面が略Ｌ字形の周壁をそれぞれ有し、
該第１のケースの周壁は、長手方向に沿う壁面の端縁部付近に外方に突出する第１及び第２の突出壁により形成された係合凹部を有し、該第１及び第２の突出壁のどちらか一方は先端に係合突起を有し、
該第２のケースの周壁は、上記係合凹部と対向する位置に内方に突出する突出壁により形成された係合凸部を有し、該突出壁はその先端に上記係合凹部の係合突起と係合する係合突起を有し、
上記係合凹部の係合突起を有する突出壁と対向する側の突出壁は、その長手方向に１つまたは間隔をおいて設けられた２つ以上の押圧突起を有し、
上記第１及び第２の突出壁により形成される係合凹部の開口寸法は、上記押圧突起が設けられている長手方向の一部分では上記係合凸部の幅寸法よりわずかに小さく、上記押圧突起が設けられていない長手方向の大部分では上記係合凸部の幅寸法よりわずかに大きくし、
上記第１のケースの周壁に、上記係合凹部を形成する突出壁との間にエンドキャップを取り付けるためのネジ螺挿用の溝を形成する第３の突出壁を設けている、
ことを特徴とするロールスクリーン用ケース。
【請求項２】
上記押圧突起は絞り加工により形成されている、
ことを特徴とする請求項１に記載のロールスクリーン用ケース。
【請求項３】
上記第２のケースの周壁は上記係合凸部が設けられた付近の壁面に内方に折り曲げられ上記第３の突出壁を押圧固定する折曲部を有する、
ことを特徴とする請求項１または請求項２に記載のロールスクリーン用ケース。
【発明の詳細な説明】
【０００１】
【発明の属する技術分野】
本発明は、防虫用のロール網戸、遮光用スクリーン、断熱用スクリーン等として建物開口部に設置するのに有効なロールスクリーンを収納するロールスクリーン用ケースに関し、さらに具体的には、第１及び第２のケースを継合して１つのケースとし、内部にロールスクリーンを収納するロールスクリーン用ケースに関するものである。
【０００２】
【従来の技術】
第１及び第２のケースを継合して１つのケースとし、内部に防虫網戸等のロールスクリーンを収納するロールスクリーン用ケースは従来から知られている。
図５及び図６は、該従来のロールスクリーン用ケースを建物開口部の上部に取り付けた例を示しており、内部にロールスクリーン３５を収納したロールスクリーン用ケース３０は、第１のケース３１及び第２のケース３２を継合して１つのケース３０としており、該ケース３０の上面には固定用ブラケット４０が複数取付けられ、該固定用ブラケット４０は建物等の開口部にネジ４５，４６で固定される。
そして、該ロールスクリーン用ケース３０は、防虫ネットを構成するスクリーン３５及び該スクリーン３５を巻き取る巻取軸３４で構成されている。
【０００３】
上記ロールスクリーン用ケース３０の長手方向の両端には、エンドキャップ４１Ａ、４１Ｂがネジにより取り付けられ、該エンドキャップ４１Ａ、４１Ｂは巻取軸３４の軸支部３４ａ（図１参照）を嵌入させる軸受部４２を内側に向けて突出させると共に、一方のエンドキャップ４１Ｂには巻取りカートリッジ４６を取り付け、他方のエンドキャップ４１Ａには該巻取りカートリッジ４６と実質的に同形の化粧蓋４７を取りている。
上記ロールスクリーン用ケース３０は、２分割された第１のケース３１及び第２のケース３２を継合して１つのケースとするために、後述するように第１のケース３１及び第２のケース３２の長手方向に沿う面の周壁が互いに係合されるが、該第１のケース３１及び第２のケース３２の長手方向の両端は上記エンドキャップ４１Ａ、４１Ｂを介して互いに結合される。
【０００４】
図５に示す、第１のケース３１に設けられた溝４７，４８及び第２のケース３２に設けられた孔４９は該ケース３１、ケース３２の長手方向の両端まで延びており、該溝４７，４８及び孔４９には該ケース３１、ケース３２に上記エンドキャップ４１Ａ、４１Ｂを取り付けるためのネジが螺挿される（例えば、図６のネジ５８参照）。
上記巻取りカートリッジ４６は、巻取軸３に連結したプーリー４８を回転させる操作紐５１の操作により上記巻取軸３４を正逆回転させ、該巻取軸３４に巻いたスクリーン３５の繰り出し乃至巻き取りを可能にするものである。
上記ロールスクリーン用ケース３０の下部には上記スクリーン３５を導出するための開口部３０ａを設けており、導出したスクリーン３５の先端部には、ボトムバー３６を取付けている。
該ボトムバー３６は、スクリーン３５をロールスクリーン用ケース３０から引き出したときに、スクリーン３５に常に適度の緊張力を与えて、それを建物開口部に張設し得る程度の重量をもたせ、その両端は、スクリーン３５の張設位置の両側に沿って配設したアルミニウム製のガイドレール３７におけるレール材３８に案内させている。
【０００５】
そして、上記従来のロールスクリーン用ケース３０は、第１のケース３１及び第２のケース３２を継合して１つのケースとするために、図７に示すように、第１のケース３１及び第２のケース３２の長手方向に沿う面の周壁をネジ５３で結合させたり、あるいは図８に示すように、第１のケース３１の上記周壁に係合凹部５５を設けると共に第２のケース３２の上記周壁に係合凸部５６を設け、該係合凸部５６を係合凹部５５に横から差し込んで第１のケース３１及び第２のケース３２を結合させていた。
しかし、それらのケースでは、第１のケース３１及び第２のケース３２の上記周壁をネジ５３で結合させる場合にネジ回し等の工具が必要になり、係合凸部５６を係合凹部５５に横から差し込んで第１のケース３１及び第２のケース３２の上記周壁を結合させる場合には、正面からはめ込みができないために組立のために広いスペースが必要になると共に組立が面倒であるという問題があった。
【０００６】
【発明が解決しようとする課題】
如上に鑑みて、本発明の技術的課題は、第１のケースに第２のケースを正面からはめ込むことができ、組立に広いスペースが必要なく、組立も簡単で、しかも抜けにくい、ロールスクリーン用ケースを提供することにある。
【０００７】
【課題を解決するための手段】
上記課題を解決するため、本発明のロールスクリーン用ケースは、第１及び第２のケースを継合して１つのケースとするロールスクリーン用ケースにおいて、該第１及び第２のケースは長手方向に延び断面が略Ｌ字形の周壁をそれぞれ有し、該第１のケースの周壁は、長手方向に沿う壁面の端縁部付近に外方に突出する第１及び第２の突出壁により形成された係合凹部を有し、該第１及び第２の突出壁のどちらか一方は先端に係合突起を有し、該第２のケースの周壁は、上記係合凹部と対向する位置に内方に突出する突出壁により形成された係合凸部を有し、該突出壁はその先端に上記係合凹部の係合突起と係合する係合突起を有し、上記係合凹部の係合突起を有する突出壁と対向する側の突出壁は、その長手方向に１つまたは間隔をおいて設けられた２つ以上の押圧突起を有し、上記第１及び第２の突出壁により形成される係合凹部の開口寸法は、上記押圧突起が設けられている長手方向の一部分では上記係合凸部の幅寸法よりわずかに小さく、上記押圧突起が設けられていない長手方向の大部分では上記係合凸部の幅寸法よりわずかに大き大きくし、上記第１のケースの周壁に、上記係合凹部を形成する突出壁との間にエンドキャップを取り付けるためのネジ螺挿用の溝を形成する第３の突出壁を設けていることを特徴とするものである。
【０００８】
上記ロールスクリーン用ケースのより具体的な構成においては、上記押圧突起を絞り加工により形成することができ、また、上記第２のケースの周壁が上記係合凸部が設けられた付近の壁面に内方に折り曲げられ上記第３の突出壁を押圧固定する折曲部を有する構成とすることができる。
上記ロールスクリーン用ケースは、第１のケースの第１及び第２の突出壁により形成される係合凹部の開口寸法が、上記押圧突起が設けられていない長手方向の大部分では上記第２のケースの係合凸部の幅寸法よりわずかに大きいため、上記第１のケースの係合凹部に上記第２のケースの係合凸部を正面から簡単にはめ込むことができる。
【０００９】
しかも、第１のケースの係合凹部の第１及び第２の突出壁により形成される開口寸法が、上記押圧突起が設けられている長手方向の一部分では第２のケースの係合凸部の幅寸法よりわずかに小さいため、第１のケースの係合凹部を形成する突出壁に設けた係合突起と第２のケースの係合凸部に設けた係合突起とが係合し、上記第２のケースの係合凸部は上記第１のケースの係合凹部から抜けにくい。そして、上記ロールスクリーン用ケースは、第１のケースに第２のケースを正面からはめ込むことができるから、横から差し込んで第１のケースと第２のケースを結合させる従来のロールスクリーン用ケースとは違って組立に広いスペースが必要なく、組立も簡単である。
【００１０】
また、上記ロールスクリーン用ケースは、上記押圧突起を絞り加工により形成すると、上記係合凹部の突出壁あるいは上記係合凸部の突出壁に別個の突起物を付加することなく押圧突起を形成できるから、該押圧突起の形成が簡単にできると共に、絞り加工により形成された押圧突起は別個の突起物を付加したものに比べ弾力性があるから、第１のケースに第２のケースを正面からはめ込む際に都合がよい。
また、上記ロールスクリーン用ケースは、上記第１のケースの周壁が上記係合凹部が設けられた付近の壁面に外方に突出する第３の突出壁を有し、上記第２のケースの周壁が上記係合凸部が設けられた付近の壁面に内方に折り曲げられ上記第３の突出壁を押圧固定する折曲部を有する構成とすると、上記第１のケースと第２のケースは、上記係合凹部と係合凸部による係合だけでなく上記第３の突出壁と上記折曲部との間でも固定されるから、上記第２のケースが第１のケースから外れて倒れるのを防止することができる。
【００１１】
【発明の実施の形態】
図１〜図４は、本発明のロールスクリーン用ケースの一実施例を示している。このロールスクリーン用ケース１は、第１のケース２及び第２のケース３を継合して１つのケースとしており、該第１のケース２及び第２のケース３は長手方向に延び断面が略Ｌ字形の周壁をそれぞれ有し、該第１のケース２及び第２のケース３の周壁で囲まれた空間には防虫網戸等のロールスクリーン（図示せず）が収納されている。
図示は省略しているが、上記ロールスクリーンは防虫ネットを構成するスクリーン及び該スクリーンを巻き取る巻取軸を有し、該巻取軸は、巻取軸の内部に設けたスプリング、巻取軸に連結された電動機、あるいは巻取軸に連結したプーリーを駆動するチェーンや操作紐等により駆動されて正逆回転し、該巻取軸に巻いたスクリーンの繰り出し乃至巻き取りを行う。
【００１２】
また、図示は省略しているが、上記ロールスクリーン用ケース１は長手方向の両端にエンドキャップがネジにより取り付けられ、該エンドキャップは巻取軸の軸支部を嵌入させる軸受部を内側に向けて突出させると共に、一方のエンドキャップには巻取軸を駆動する手段を収納した巻取りカートリッジが取り付けられ、他方のエンドキャップには該巻取りカートリッジと実質的に同形の化粧蓋が取り付けられている。
上記ロールスクリーン用ケース１は、２分割された第１のケース２及び第２のケース３を継合して１つのケースとするために、後述するように第１のケース２１及び第２のケース３の長手方向に沿う面の周壁が互いに係合されるが、該第１のケース２及び第２のケース３の長手方向の両端は上記エンドキャップを介して互いに結合される。
【００１３】
上記第１のケース２の周壁は、図１〜図３に示すように、長手方向に沿う壁面の一方の端部付近に外方に突出する第１の突出壁２ａ及び第２の突出壁２ｂにより形成された係合凹部４を有し、該第１及び第２の突出壁２ａ、２ｂのどちらか一方は先端に係合突起５を有し、上記第２のケース３の周壁は、長手方向に沿う壁面の上記係合凹部４と対向する位置に内方に突出する突出壁３ａにより形成された係合凸部６を有し、該突出壁３ａはその先端に上記係合凹部４の係合突起５と係合する係合突起７を有する。
また、上記第１のケース２の周壁は、上記係合凹部４が設けられた付近の壁面に外方に突出する第３の突出壁２ｃを有し、該突出壁２ｃと上記突出壁２ｂとで形成される溝２５は、長手方向の両端でエンドキャップ（図示せず）を取り付けるためのネジが螺挿される溝であり、上記第２のケース３の周壁は上記係合凸部６が設けられた壁面付近に上記第３の突出壁２ｃを押圧固定する内方に折り曲げられた折曲部３ｂを有する。
【００１４】
更に詳述すると、上記第１のケース２の周壁は円弧状部分１１と直線状部分１２とで略Ｌ字形の断面が形成され、上記突出壁２ａ〜２ｃは該円弧状部分１１の端部付近に設けられ、該円弧状部分１１と直線状部分１２とが連結する付近の周壁には、該ロールスクリーン用ケース１を建物等の開口部に固定するための固定用ブラケット（図示せず）を取付けるための係止突条２１，２２及び長手方向の両端でエンドキャップ（図示せず）を取り付けるためのネジが螺挿される溝２３が形成され、該直線状部分１２の端部は内方に折曲されて折曲部２４が形成されている。
また、上記第２のケース３の周壁は円弧状部分１３と直線状部分１４とで略Ｌ字形の断面が形成され、該直線状部分１４は上記突出壁３ａ及び折曲部１５を有すると共に該折曲部１５を通って延びる延長部１６を有し、該延長部１６の端部には係止突条２６が形成され、該係止突条２６は上記係止突条２１，２２と共同してロールスクリーン用ケース１に固定用ブラケット（図示せず）を取付ける。
【００１５】
上記円弧状部分１３の上記巻取軸の軸芯に対応する箇所には、内方に突出する突出壁３ｂを形成し、該突出壁３ｂ内には長手方向の両端でエンドキャップ（図示せず）を取り付けるためのネジが螺挿される孔２８が形成され、上記円弧状部分１３の端部には内方にＬ字型に折曲された折曲部２９が形成されている。
上記折曲部２４及び折曲部２９の端部は互いに対向する位置にあり、該折曲部２４及び折曲部２９の隙間１ａは、第１のケース２と第２のケース３が継合して１つのケースになった際に上記スクリーン（図示せず）を導出・導入するための開口部となる。
上記係合凹部４の係合突起５を有する突出壁２ｂと対向する側の突出壁２ａは、図４に示すように、その長手方向に間隔をおいて設けられた少なくとも１つ以上の押圧突起８を有し、図２に示すように、上記第１及び第２の突出壁２ａ、２ｂにより形成される係合凹部４の開口寸法Ｂは、上記押圧突起８が設けられている長手方向の一部分では上記係合凸部６の幅寸法Ｃよりわずかに小さく、上記押圧突起８が設けられていない長手方向の大部分では上記係合凸部６の幅寸法Ｃよりわずかに大きい。
【００１６】
上記押圧突起８は上記係合凹部４の突出壁２ａに設ける替わりに上記係合凸部６の係合突起７と反対側の壁面に設けてもよく、上記押圧突起８は上記突出壁２ａあるいは突出壁３ａの長手方向の一部に絞り加工を行い突出壁の一部を膨出させることにより形成される。
上記第１のケース２及び第２のケース３は、一方をアルミニュウム製、他方を合成樹脂製とするが、両方ともアルミニュウム製、あるいは両方とも合成樹脂製としてもよい。
また、上記実施例では、上記第１及び第２のケース２、３の周壁を円弧状部分と直線状部分とから成る略Ｌ字形の断面に形成しているが、必ずしもこの実施例に限定される必要はなく、上記第１及び第２のケース２、３の周壁を２つの直線状部分から成る略Ｌ字形の断面に形成してもよい。
【００１７】
上記実施例のロールスクリーン用ケース１は、第１のケース２の第１の突出壁２ａ及び第２の突出壁２ｂにより形成される係合凹部４の開口寸法Ｂが、押圧突起８が設けられていない長手方向の大部分では上記第２のケース３の係合凸部６の幅寸法Ｃよりわずかに大きいため、上記第１のケース２の係合凹部４に上記第２のケース３の係合凸部６を正面から簡単にはめ込むことができる。
しかも、第１のケース２の係合凹部４の第１の突出壁２ａ及び第２の突出壁２ｂにより形成される開口寸法Ｂが、押圧突起８が設けられている長手方向の一部分では第２のケース３の係合凸部６の幅寸法Ｃよりわずかに小さいため、係合凸部６が突出壁２ａに設けた押圧突起８により押圧され、第１のケース２の係合凹部４を形成する突出壁２ｂに設けた係合突起５と第２のケース３の係合凸部６に設けた係合突起７とが係合し、上記第２のケース２の係合凸部６は上記第１のケース２の係合凹部４から抜けにくい。
【００１８】
そして、上記ロールスクリーン用ケース１は、第１のケース１に第２のケース２を正面からはめ込むことができるから、横から差し込んで第１のケースと第２のケースを結合させる従来のロールスクリーン用ケースとは違って組立に広いスペースが必要なく、組立も簡単である。
また、上記ロールスクリーン用ケース１は、上記押圧突起８を絞り加工により形成しているから、上記係合凹部４の突出壁２ａあるいは上記係合凸部６の突出壁３ａに別個の突起物を付加することなく押圧突起８を形成できる。
したがって、該押圧突起８の形成が簡単にできると共に、絞り加工により形成された押圧突起８は別個の突起物を付加したものに比べ弾力性があるから、第１のケースに第２のケースを正面からはめ込む際に都合がよい。
【００１９】
また、上記ロールスクリーン用ケース１は、上記第１のケース２の周壁が上記係合凹部４が設けられた付近の壁面に外方に突出する第３の突出壁２ｃを有し、上記第２のケース３の周壁が上記係合凸部６が設けられた付近の壁面に内方に折り曲げられ上記第３の突出壁２ｃを押圧固定する折曲部３ｂを有する構成であるため、第３の突出壁２ｃの弾力に抗して折曲部３ｂが突出壁２ｃを押し付けることになり、両者は相互に固定される。
したがって、上記第１のケースと第２のケースは、上記係合凹部と係合凸部による係合だけでなく上記第３の突出壁と上記折曲部との間でも固定されるから、第２のケースが第１のケースから外れて倒れるのを防止することができる。
そして、第１のケース２の係合凹部４に第２のケース３の係合凸部６をはめ込んだ後は、第１のケース２及び第２のケース３の長手方向の両端は上記エンドキャップを介して互いに結合されるため、第２のケース３は第１のケース２から外れることはない。
【００２０】
【発明の効果】
以上に詳述した如く、本発明のロールスクリーン用ケースによれば、第１のケースに第２のケースを正面からはめ込むことができ、組立に広いスペースが必要なく、組立も簡単で、しかも抜けにくい、ロールスクリーン用ケースを提供することができる。
【図面の簡単な説明】
【図１】本発明に係るロールスクリーン用ケースの一実施例であり、継合前の状態を示す断面図である。
【図２】同部分拡大断面図である。
【図３】同継合後の状態を示す部分拡大断面図である。
【図４】同部分破断拡大斜視図である。
【図５】従来のロールスクリーン用ケース及びスクリーン巻取装置を示す側断面図である。
【図６】同部分破断正面図である。
【図７】従来のロールスクリーン用ケースの部分拡大断面図である。
【図８】同部分拡大断面図である。
【符号の説明】
１      ロールスクリーン用ケース
２      第１のケース
２ａ    第１の突出壁
２ｂ    第２の突出壁
３      第２のケース
４      係合凹部
６      係合凸部
５，７  係合突起
８      押圧突起
【図１】
0003806004.tif 000002
【図２】
0003806004.tif 000003
【図３】
0003806004.tif 000004
【図４】
0003806004.tif 000005
【図５】
0003806004.tif 000006
【図６】
0003806004.tif 000007
【図７】
0003806004.tif 000008
【図８】
0003806004.tif 000009